(57)【要約】【課題】座のストッパ部と支柱の掛合部との間での指挟みを簡易な構造で防止することにある。【解決手段】背と、前記背の前方に位置する座と、床面に支持されて前記座の左右側方に位置し、前記背を支持する支柱と、前記支柱に支持されて、少なくとも前記支柱と前記座の側部との間に延在し、前記座を前方に倒れた着座位置と上方に起立した待機位置との間で揺動可能に支持する座支持軸と、前記座の側部に突設されて、前記座の揺動に伴って前記座支持軸の軸線周りに旋回し、前記支柱に設けられた掛合部との掛合により前記座の前記着座位置を特定するストッパ部と、前記支柱と前記座の側部との間に配設されて前記座と一緒に揺動し、前記座が少なくとも前記着座位置の近傍に位置する際に、前記支柱に設けられた掛合部を覆うカバー部と、を具える座起立式椅子である。【選択図】図１
2015154891.tif 000002
【特許請求の範囲】
【請求項１】
背と、
前記背の前方に位置する座と、
床面に支持されて前記座の左右側方に位置し、前記背を支持する支柱と、
前記支柱に支持されて、少なくとも前記支柱と前記座の側部との間に延在し、前記座を前方に倒れた着座位置と上方に起立した待機位置との間で揺動可能に支持する座支持軸と、
前記座の側部に突設されて、前記座の揺動に伴って前記座支持軸の軸線周りに旋回し、前記支柱に設けられた掛合部との掛合により前記座の前記着座位置を特定するストッパ部と、
前記支柱と前記座の側部との間に配設されて前記座と一緒に揺動し、前記座が少なくとも前記着座位置の近傍に位置する際に、前記支柱に設けられた掛合部を覆うカバー部と、
を具えることを特徴とする座起立式椅子。
【請求項２】
前記カバー部は、前記座が前記待機位置と前記着座位置との間で揺動する間、前記支柱に設けられた掛合部を覆うものであることを特徴とする、請求項１記載の座起立式椅子。
【請求項３】
前記カバー部は、前記座支持軸が貫通する孔もしくは切欠き部と、前記ストッパ部が貫通する孔もしくは切欠き部とを有し、前記座の側部に装着されるカバー部材であることを特徴とする、請求項１記載の座起立式椅子。
【請求項４】
前記カバー部は、前記ストッパ部が貫通する孔もしくは切欠き部を有する代わりに、前記ストッパ部を覆う凸部を有し、
前記凸部は、前記支柱に設けられた掛合部と掛合することを特徴とする、請求項３記載の座起立式椅子。
【請求項５】
前記カバー部は、前記座の側部に設けられた座ブラケットと一体的に形成されたものであることを特徴とする、請求項１または２記載の座起立式椅子。
【発明の詳細な説明】
【技術分野】
【０００１】
この発明は、移動観覧席等に用いられる座起立式椅子に関し、特には座のストッパ部と支柱に設けられた掛合部との間での指挟みを簡易な構造で防止する座起立式椅子に関するものである。
【背景技術】
【０００２】
移動観覧席としては従来、例えば特許文献１にて開示されたものが知られている。この移動観覧席は、各々複数個の椅子を起倒可能に搭載された複数の床台を具え、各床台は車輪を有して前後移動可能とされている。またこの複数の床台は互いに連結されると共に互いに高さが異なっていて、収納位置で床台が互いに上下方向に整列する移動観覧席の待機状態から最下段の床台が最上段の床台に対して前進移動することで、床台が互いに階段状にずれる移動観覧席の使用状態となり、また、その階段状の使用状態から最下段の床台が最上段の床台に対して後退移動することで、床台が互いに上下方向に整列する移動観覧席の待機状態に戻る。そしてその待機状態にする際には、床台上の各椅子を前方に倒して、最上段の床台上の椅子以外は床台間に収納する。
【先行技術文献】
【特許文献】
【０００３】
【特許文献１】実開平０５−０３９３５５号公報
【発明の概要】
【発明が解決しようとする課題】
【０００４】
ところで、移動観覧席の床台上の各椅子は、背と、その背の前方に位置する座と、床面に支持されて座の左右側方に位置し、背を支持する支柱とを具えている他、横方向の通路確保や上記床台間への椅子の収納等のために通常、支柱に支持されて、少なくとも支柱と座の側部との間に延在し、座を前方に倒れた着座位置と上方に起立した待機位置との間で揺動可能に支持する座支持軸と、座の側部に突設されて、座の揺動に伴って座支持軸の軸線周りに旋回し、支柱に設けられた掛合部との掛合により座の着座位置を特定するストッパ部と、座を待機位置に向けて附勢するスプリングと、を具えて、観客の離座時に座が自動的に待機位置に起立するようにされている。
【０００５】
しかしながら上記の座起立式椅子の構成では、ストッパ部が、座の揺動に伴って座支持軸の軸線周りに旋回し、支柱に設けられた掛合部との掛合により座の着座位置を特定するよう構成されているため、観客が座を着座位置に倒して着座する際、座の側部と支柱との間の隙間に観客の手が入った場合に、ストッパ部と支柱に設けられた掛合部との間での指挟みの発生を充分には防止できなかった。
【課題を解決するための手段】
【０００６】
この発明は、上記従来の座起立式椅子の課題を有利に解決するものであり、この発明の座起立式椅子は、
背と、
前記背の前方に位置する座と、
床面に支持されて前記座の左右側方に位置し、前記背を支持する支柱と、
前記支柱に支持されて、少なくとも前記支柱と前記座の側部との間に延在し、前記座を前方に倒れた着座位置と上方に起立した待機位置との間で揺動可能に支持する座支持軸と、
前記座の側部に突設されて、前記座の揺動に伴って前記座支持軸の軸線周りに旋回し、前記支柱に設けられた掛合部との掛合により前記座の前記着座位置を特定するストッパ部と、
前記支柱と前記座の側部との間に配設されて前記座と一緒に揺動し、前記座が少なくとも前記着座位置の近傍に位置する際に、前記支柱に設けられた掛合部を覆うカバー部と、
を具えることを特徴とするものである。
【発明の効果】
【０００７】
上述したこの発明の座起立式椅子にあっては、ストッパ部が、座の揺動に伴って座支持軸の軸線周りに旋回し、支柱に設けられた掛合部との掛合により座の着座位置を特定するとともに、カバー部が、支柱と座の側部との間に配設されて座と一緒に揺動し、座が少なくとも着座位置の近傍に位置する際に、支柱に設けられた掛合部を覆うので、観客が待機位置に位置する座を着座位置まで倒して着座する際に、座の側部と支柱との間の隙間に観客の手が入っても、指がカバー部で遮られて、ストッパ部と支柱に設けられた掛合部との隙間に入ることがない。
【０００８】
従ってこの発明の座起立式椅子によれば、支柱と座の側部との間にカバー部を設けた簡易な構成で、ストッパ部と支柱に設けられた掛合部との間での指挟みの発生を防止することができる。
【０００９】
なお、この発明の座起立式椅子においては、前記カバー部は、前記座支持軸が貫通する孔もしくは切欠き部と、前記ストッパ部が貫通する孔もしくは切欠き部とを有し、前記座の側部に装着されるカバー部材であってもよい。このようにすれば、従来の座起立式椅子にカバー部材を追加装着した簡易な構成で、ストッパ部と支柱に設けられた掛合部との間での指挟みの発生を防止することができる。
【００１０】
また、この発明の座起立式椅子においては、前記カバー部は、前記ストッパ部が貫通する孔もしくは切欠き部を有する代わりに、前記ストッパ部を覆う凸部を有し、前記凸部が、前記支柱に設けられた掛合部と掛合するものであってもよい。このようにすれば、別途の緩衝部材を設けなくても、そのカバー部の凸部でストッパ部と支柱に設けられた掛合部との掛合の際の衝撃を緩和して、座を静かに着座位置に倒すことができる。
【００１１】
一方、この発明の座起立式椅子においては、前記カバー部は、前記座支持軸および前記前記座の側部に設けられた座ブラケットと一体的に形成されたものであってもよい。このようにすれば、部品点数を削減するとともに座へのカバー部の組付けを容易化することができる。
【図面の簡単な説明】
【００１２】
【図１】（ａ），（ｂ），（ｃ）および（ｄ）は、この発明の座起立式椅子の一実施例としての座起立式連結椅子を、カバー部材を省略して示す平面図、正面図、座が着座位置に位置する側面図および、座が待機位置に位置する側面図である。
【図２】上記実施例の座起立式連結椅子を一部分解状態で示す斜視図である。
【図３】（ａ），（ｂ）は、上記実施例の座起立式連結椅子のカバー部材を示す正面図および側面図である。
【図４】上記実施例の座起立式連結椅子の座への上記カバー部材の装着状態を示す側面図である。
【図５】（ａ），（ｂ）は、上記実施例の座起立式連結椅子のカバー部材と支柱の凹部との位置関係を示す、座が着座位置に位置する側面図および、座が待機位置に位置する側面図である。
【図６】（ａ），（ｂ）は、カバー部材の変形例をそれぞれ示す正面図である。
【発明を実施するための形態】
【００１３】
以下、この発明の実施の形態を図面に基づく実施例によって詳細に説明する。ここに、図１（ａ），（ｂ），（ｃ）および（ｄ）は、この発明の座起立式椅子の一実施例としての座起立式連結椅子を、カバー部材を省略して示す平面図、正面図、座が着座位置に位置する側面図および、座が待機位置に位置する側面図であり、図２は、上記実施例の座起立式連結椅子を一部分解状態で示す斜視図である。
【００１４】
この実施例の座起立式連結椅子は、背１と、その背１の前方に位置する座２と、床面に支持されて座２の左右側方に位置し、背１を支持する支柱３と、支柱３に支持されて、少なくとも支柱３と座２の側部との間に延在し、座２を前方に倒れた着座位置（図１（ｄ）参照）と上方に起立した待機位置（図１（ｃ）参照）との間で揺動可能に支持する座支持軸４と、座２の側部に突設されて、支柱３の、座２の側部に対向する凹部３ａ内に遊嵌され、座２の揺動に伴って座支持軸４の軸線周りに旋回し、その凹部３ａの、掛合部としての側壁との掛合により座２の着座位置と待機位置とを特定する、ストッパ部としてのストッパピン５とを具えている。
【００１５】
なお、この実施例の座起立式連結椅子では、図２に示すように、各支柱３が、複数の椅子に共用の角パイプ状の貫材６に立設固定されており、貫材６は、図２では図示しない脚７を介して図示しない床面に支持される。各支柱３の上端部には、肘８の前後方向中間部が支持されており、また背１は、背板を持つ背クッション１ａとその両側部に固設された断面Ｌ字状の背ブラケット１ｂとを有し、背ブラケット１ｂの上端部は、肘８の後端部に支持され、背ブラケット１ｂの下端部は、各支柱３の後部に固定支持されている。
【００１６】
座２は、底板を持つ座クッション２ａとその両側部に固設された断面Ｌ字状の座ブラケット２ｂとを有し、各座ブラケット２ｂには、座２の前後方向で前側に座支持軸４が座２の左右方向に延在するよう突設されるとともに、後側にストッパ部としてのストッパピン５が座２の左右方向に延在するよう突設されており、座支持軸４は、支柱３の両側面に形成された丸孔３ｂの一方に嵌挿されて支持され、ストッパピン５は、丸孔３ｂを中心とした円弧状の空間を持つように支柱３の両側面に形成された上記凹部３ａの一方の内側に遊嵌される。なお、ストッパピン５が遊嵌される凹部３ａは、図１および後述する図５では円弧状をなしているが、図２に示すように上部に円弧状部分を含んで支柱３の下部付近まで延在していてもよい。
【００１７】
しかしてこの実施例の座起立式連結椅子では、図３（ａ）．（ｂ）に示す如く、座支持軸４が貫通する孔１０ａと、ストッパピン５が貫通する孔１０ｂとを有する、カバー部としてのカバー部材１０が、図４に示すように、それらの孔１０ａ，１０ｂに座支持軸４とストッパピン５とをそれぞれ嵌挿された状態で、図２に示すように、支柱３と座２の側部との間に介挿されて設けられ、座２と一緒に揺動する。このカバー部材１０はさらに、座２か待機位置と着座位置との間で揺動する間、その揺動位置にかかわらず、支柱３の凹部３ａの、座２の揺動に伴ってストッパピン５が座支持軸４の軸線周りに旋回する円弧状の領域のうち、座２の使用位置を特定する際にストッパピン５が掛合する、凹部３ａの掛合部としての上側側壁の近傍部分を支柱３の側方から覆うように、略扇状をなす蓋部１０ｃを有している。
【００１８】
さらに、この実施例の座起立式連結椅子では、カバー部材１０の孔１０ｂを貫通したストッパピン５の外周面上に緩衝部材としての軟質樹脂製の緩衝筒１１が嵌着され、この緩衝筒１１が、ストッパピン５と支柱３の凹部３ａの側壁との掛合の際の衝撃を緩和するので、座２を静かに待機位置に起したり着座位置に倒したりすることができる。
【００１９】
また、この実施例の座起立式連結椅子では、座起立附勢手段として、座２の座支持軸４よりも後の部分が、座２の座支持軸４よりも前の部分よりも重くされており、これにより座２の座支持軸４よりも後の部分が、その重量によって、座２を待機位置へ向けて常時附勢して、着座者が離座すると座２を上方に起立した待機位置へ自動的に揺動させる。
【００２０】
図５（ａ），（ｂ）は、上記実施例の座起立式連結椅子のカバー部材と支柱の凹部との位置関係を示す、座が着座位置に位置する側面図および、座が待機位置に位置する側面図である。図示のようにこの実施例の座起立式連結椅子にあっては、ストッパピン５が、支柱３の、座２の側部に対向する凹部３ａ内に遊嵌され、座２の揺動に伴って座支持軸４の軸線周りに旋回し、図５（ａ）に示すように、支柱３の凹部３ａの前側側壁との緩衝筒１１を介する掛合により座２の待機位置を特定するとともに、図５（ｂ）に示すように、支柱３の凹部３ａの上側側壁との緩衝筒１１を介する掛合により座２の着座位置を特定する。
【００２１】
そしてここでは、カバー部材１０が、座支持軸４が貫通する孔１０ａとストッパピン５が貫通する孔１０ｂとを有して、支柱３と座２の側部との間に介挿されて座２と一緒に揺動し、座２か待機位置と着座位置との間で揺動する間、その揺動位置にかかわらず、カバー部材１０の蓋部１０ｃが、支柱３の凹部３ａの、ストッパピン５が掛合する上側側壁の近傍部分を覆うので、観客が座２を待機位置から着座位置に倒して着座する際に、座２の側部と支柱３との間の隙間に観客の手が入っても、カバー部材１０の蓋部１０ｃで遮られて、ストッパピン５と支柱３の凹部３ａの側壁との間に指が入ることがない。
【００２２】
従ってこの実施例の座起立式連結椅子によれば、支柱３と座２の側部との間にカバー部材１０を設けた簡易な構成で、ストッパピン５と支柱３の凹部３ａの側壁との間での指挟みの発生を防止することができる。
【００２３】
しかもこの実施例の座起立式連結椅子によれば、従来の座起立式連結椅子にカバー部材１０を追加装着しただけの簡易な構成で、ストッパピン５と支柱３の凹部３ａの側壁との間での指挟みの発生を防止することができる。
【００２４】
図６（ａ），（ｂ）は、カバー部材１０の変形例をそれぞれ示す正面図であり、カバー部材１０は、図６（ａ）に示すように、孔１０ａ，１０ｂの少なくとも一方に代えて、切欠き部１０ｄ，１０ｅを有するものであってもよい。またカバー部材１０は、図６（ｂ）に示すように、孔１０ａ，１０ｂに代えて、座支持軸４とストッパピン５とを一緒に貫通させる長孔１０ｆを有するものであってもよい。
【００２５】
以上、図示例に基づき説明したが、この発明は上述の例に限定されるものでなく、特許請求の範囲の記載範囲内で適宜変更し得るものであり、例えば、カバー部材１０は、ストッパピン５が貫通する孔１０ｂもしくは切欠き部１０ｅを有する代わりにストッパピン５を覆う凸部を有し、その凸部が支柱３の凹部３ａ内に遊嵌されて、凹部３ａの側壁と掛合する緩衝材として機能するようにしてもよい。さらに、ストッパ部は、丸棒状のストッパピン５でなく例えばゴム状弾性体等からなるブロック状等のものでもよい。
【００２６】
また、この発明においては、座ブラケット２ｂにカバー部材１０を装着する代わりに、座ブラケット２ｂと一体的に蓋部１０ｃを形成することで、カバー部を設けるとともにそのカバー部を座支持軸４およびストッパピン５と結合してもよい。
【００２７】
さらに、この発明においては、座起立式連結椅子が、座２を待機位置へ向けて附勢する座起立附勢手段として、座２を待機位置へ向けて常時附勢するエアクッションや弦巻バネ等を具え、支柱３が、移動観覧席の床台の床面に起倒可能に支持され、背１と座２と肘８とが、通常の移動観覧席用椅子におけると同様にリンク機構等により支柱３の起倒と連動して、図５に示す使用姿勢と支柱３に沿う図示しない収納姿勢との間で移動するようにしてもよく、その場合に、支柱３に設けられて背１に連結され、支柱３が倒れる際に背１を支柱３に沿わせるリンク部材に、座２の着座位置でストッパピン５が掛合する掛合部を設けてもよい。
【００２８】
そしてこの発明においては、座起立式椅子が、連結椅子でなく単座の椅子でもよく、移動観覧席でなく通常の劇場等に固定配置あるいは可動配置される椅子でもよい。
【産業上の利用可能性】
【００２９】
かくしてこの発明の座起立式椅子によれば、支柱と座の側部との間にカバー部を設けた簡易な構成で、ストッパ部と支柱に設けられた掛合部との間での指挟みの発生を防止することができる。
【符号の説明】
【００３０】
１  背
１ａ  背クッション
１ｂ  背ブラケット
２  座
２ａ  座クッション
２ｂ  座ブラケット
３  支柱
３ａ  凹部
３ｂ  丸孔
４  座支持軸
５  ストッパピン
６  貫材
７  脚
８  肘
１０  カバー部材
１０ａ，１０ｂ  孔
１０ｃ  蓋部
１０ｄ，１０ｅ  切欠き部
１０ｆ  長孔
１１  緩衝筒
【図１】
2015154891.tif 000003
【図２】
2015154891.tif 000004
【図３】
2015154891.tif 000005
【図４】
2015154891.tif 000006
【図５】
2015154891.tif 000007
【図６】
2015154891.tif 000008